(57)【特許請求の範囲】
【請求項１】
色調を比較して選択するための色調見本部と、この色調見本部を支持する把手部材とよりなる歯科用色見本を成型するための成型器具であって、
成型皿と、この成型皿に開閉可能に被冠した透光性を有する蓋体とよりなり、前記成型皿の上面に色調見本部を成型するための、光硬化性を有するペースト状の歯科用コンポジットレジンが充填される色調見本成型部を凹設するとともに、この色調見本成型部に連設して把手部材を保持する把手保持溝を設け、かつ前記把手保持溝に把手部材を保持させて、前記色調見本成型部に歯科用コンポジットレジンを充填し、蓋体を成型皿に被冠した際に、前記充填した歯科用コンポジットレジンの上面のうち、色調見本成型部が成型皿上面に開口する当該開口部領域内の上面部分を、前記蓋体の内面をもって密接状態で押圧しうるようにしたことを特徴とする歯科用色見本の成型器具。
【請求項２】
蓋体を成型皿に被冠した状態において、蓋体の内面のうち、成型皿における色調見本成型部が成型皿上面に開口する当該開口部領域内に位置する内面部分を、成型皿の上面と実質的に同一平面上に位置させるか、または成型皿の上面よりも色調見本成型部内に嵌入するように位置させた請求項１記載の歯科用色見本の成型器具。
【請求項３】
蓋体を成型皿に被冠した状態において、蓋体の内面のうち、成型皿における色調見本成型部が成型皿上面に開口する当該開口部領域内に位置する内面部分以外の内面を、成型皿の上面と実質的に同一平面上に位置させた請求項１または２のいずれかに記載の歯科用色見本の成型器具。
【請求項４】
色調見本成型部の底部型面を、天然歯の前面形状に類似の曲面、または傾斜平面に形成した請求項１〜３のいずれかに記載の歯科用色見本の成型器具。
【請求項５】
色調見本成型部の底部型面を、ＪＩＳ Ｂ０６０１で測定した算術平均高さ（Ra）で示される表面粗さが１０μｍ以下の滑らかな面とした請求項１〜４のいずれかに記載の歯科用色見本の成型器具。
【請求項６】
蓋体の内面のうち、成型皿における色調見本成型部が成型皿上面に開口する当該開口部領域内に位置する内面部分を、ＪＩＳ Ｂ０６０１で測定した算術平均高さ（Ra）で示される表面粗さが１０μｍ以下の滑らかな面に形成した請求項１〜５のいずれかに記載の歯科用色見本の成型器具。
【請求項７】
請求項１〜６のいずれかに記載の成型器具を用いた歯科用色見本の成型方法であって、成型皿の色調見本成型部に、光硬化性を有するペースト状の歯科用コンポジットレジンを充填する工程と、把手保持溝に、予め成型された色見本の把手部材を保持させる工程と、蓋体の被冠状態において、色調見本成型部に充填された前記歯科用コンポジットレジンの上面のうちの、色調見本成型部が成型皿上面に開口する当該開口部領域内の上面部分を前記蓋体の内面をもって密接状態で押圧しながら外部から光を照射する工程とからなることを特徴とする歯科用色見本の成型方法。
【請求項８】
把手部材を、その一端部を色調見本成型部内に臨ませるようにして、把手保持溝に保持させた請求項７に記載の歯科用色見本の成型方法。
【請求項９】
把手部材を把手保持溝に保持させた際に、把手部材のうち、蓋体と対向する面を、成型皿の上面と実質的に同一面上に位置させるようにした請求項７または８のいずれかに記載の歯科用色見本の成型方法。
【請求項１０】
把手保持溝に、位置決め穴を形成するとともに、把手部材を前記把手保持溝に保持させた際に、把手部材の前記位置決め穴に対向する面に位置決め突起を突設し、この位置決め突起を前記位置決め穴に係合させうるようにした請求項７〜９のいずれかに記載の歯科用色見本の成型方法。
【請求項１１】
把手部材を把手保持溝に保持させた際に、把手部材の前記把手保持溝に対向する面側に、色調見本成型部内に臨ませるようにした、把手部材の一端部と、この一端部と反対側の他端部との間の中間位置に指当て部を形成するとともに、この指当て部の前記一端部側に面する端面を成型皿の前面に当接して、この当接した前面と、把手保持溝の位置決め穴に係合した位置決め突起との両者をもって、成型皿の前端部を挟持しうるようにした請求項７〜１０のいずれかに記載の歯科用色見本の成型方法。
【発明の詳細な説明】
【技術分野】
【０００１】
本発明は、歯冠修復治療に際して、患者における天然歯の色調（シェード）に最も近似する歯科用コンポジットレジンの色調を選択するために使用する色見本（シェードガイド）を、実際に修復に用いる歯科用コンポジットレジンを用いて、簡単かつ容易に成型しうるようにするための成型器具およびそれを用いた成型方法に関する。
【背景技術】
【０００２】
近年、例えば患者における口腔内の天然歯が欠損した場合の歯冠修復治療においては、修復しようとする一部欠損した天然歯または、天然歯に代わる人工歯の修復後の審美性の向上を図るために、多種の色調を有する色見本を作製するとともに、これら多種の色見本が色調の昇順に整列させて配置された色ガイドを用いて、患者の天然歯の色調と色合せすることにより、それと一致する色調の色見本を選択し（例えば特許文献１参照）、この選択された色見本の色調に基づいて、光硬化性を有するペースト状の歯科用コンポジットレジン（例えば特許文献２参照）における色調の選択が行われている。
【０００３】
すなわち、前記歯科用コンポジットレジンの色調を選定する場合に、図５に示すように、歯科用コンポジットレジンの色調を選定するために用いられる色見本０１が、工業用プラスチック材料でもって、上部の前面が天然歯の前面との色合せを行う比較部分となる色調見本部０２と、この色調見本部０２の下方に連設された把手部材０３とより、所望の成形型（図示しない）を用いて上下方向に縦長の棒状に一体成型されている（例えば特許文献３参照）。
【０００４】
特許文献３に記載の色見本０１は、図６及び図７に示すように、色ガイド０４を構成する円盤状の保持基盤０５の円周方向に沿って、それぞれ異なる色調の昇順に整列させて配置されている。
保持基盤０５には、円周方向に等間隔をもって径方向に放射状に延びる長孔状の複数のガイド孔０６が形成され、これら各ガイド孔０６の両内側端縁０６ａに、色見本０１における把手部材０３の両外側面に設けた係合溝０３ａを係合させて径方向の内方に向けて摺動可能に挿入することにより、色見本０１が引出し可能に収容されている。
【０００５】
色見本０１における色調見本部０２の後面には、突起０２ａが設けられており、この突起０２ａが、保持基盤０５の外周縁面における前記長孔０６の延長線上に位置させて設けた内外２つの凹部０７のうちの内側の凹部０７に係止されることにより、色見本０１を収容状態に保持しうるようになっている。
図５に示すように、色見本０１における把手部材０３の前面には、その下端部と上端部との間の中間位置に、前方に向けほぼ円弧状に湾曲させて反り上がらせた指当て部０３ｂが形成されているとともに、この指当て部０３ｂに親指等を宛がって、色見本０１の色調見本部０２を保持基盤０５の外方に向けて前記ガイド孔０６から押出すように摺動させることにより、前記突起０２ａを外側の凹部０７に係止させる。
これにより、色見本０１の色調見本部０２を、前記収容状態から保持基盤０５の外周端縁側に突出した状態を維持しうる（図６、図７参照）ようにして、その選択された色見本０１が、保持基盤０５内から不用意に脱落することを防止している。
【０００６】
前記色ガイド０４は、図６に示すように、患者の口元を開かせた状態で、修復を必要とする天然歯またはこれに隣接する天然歯に、保持基盤０５における外周縁の各色見本０１の色調見本部０２を近づけて、保持基盤０５の中心部を片手で摘み持って、図６に実線矢印で示すように、他方の手で時計方向または反時計方向に回転させながら、各色見本０１の色調見本部０２における前面０２ａの色調と天然歯における前面の色調とを比較することにより、修復を必要とする天然歯またはこれに隣接する天然歯の色調に最も近似した一つの色見本０１を選択するようになっている。
そして、この選択された色見本０１を用いて、歯科用コンポジットレジンの色調を確認し選定している。
【０００７】
しかし、色ガイド０４に挿着する色調の異なる既成の色見本０１の本数には、十数本と限度があり、しかも、色見本０１として工業用プラスチックに着色したものを用いていることから、隣接する既成の色見本０１間の色調昇順幅も大きく、また天然歯と比較して質感も乏しいために、患者の修復を必要とする天然歯の色調を基に選択した色見本０１の色調はもとより、その色見本０１を基に選択した歯科用コンポジットレジンの色調との間にも色合いのずれが生じ易い。
また、一般的なコンポジットレジンは、製造ロッドによっても色ぶれが生じ易いばかりでなく、硬化前後で僅かに色調が変化し易いため、色見本０１を基に選択した歯科用コンポジットレジンの色調と修復後における患者の天然歯の色調との間にも色ずれが生じてしまう場合がある。
さらに、色見本０１における色調見本部０２の前面は、図５に示すように、前方上向きに傾斜する傾斜平面に形成されており、光が均一に反射するようになっているのに対して、天然歯の前面は、光が乱反射し易い曲面をなすことから、色見本０１と天然歯とが同一の色調であるものを選定しても、この色調を基に選定された歯科用コンポジットレジンが、天然歯とは微妙に異なった色調のものとなる場合がある。
【０００８】
また従来、上記したような色見本を作製する場合、例えば支持する把手部材を、予め所望の成形型をもって別体に成型しておき、この把手部材の上端に光硬化性を有するペースト状の歯科用コンポジットレジンを歯形状に盛り付けて、光を照射させて硬化させることにより、天然歯と近似した光沢のある色調見本部０２を形成するようにしたものも公知である。
【０００９】
しかし、このような色見本は、色調見本部の表面が凸凹になっており、また、成形型に充填されたペースト状の歯科用コンポジットレジンに向けて光を照射することにより、歯科用コンポジットレジンを硬化させる際、成形型上面に露出する歯科用コンポジットレジンの表面のうちの、成形型の開口部領域内の表面部分、すなわち成形型上面に開口する当該開口部領域内の表面部分が外気に触れると、硬化後の色調見本部の該表面に数十μｍの未硬化層、所謂、表面未重合層が形成されるため、この表面未重合層を研摩等の後加工によって除去処理し、かつ色調見本部の表面を均一にかつ滑らかにする必要があるという問題があった。
【先行技術文献】
【特許文献】
【００１０】
【特許文献１】米国特許第５，１４９，２６７号公報
【特許文献２】特開２００４−２０３８６５号公報
【特許文献３】意匠登録第１２４２２２８号公報
【発明の概要】
【発明が解決しようとする課題】
【００１１】
本発明は、前記の現状に鑑み、歯冠修復治療に際して、多種の色調を有する複数の歯科用コンポジットレジンのうちから、患者の天然歯の色調と調和するものを選択できるように、歯科用コンポジットレジンの硬化体の色調と一致した色調精度の高い色見本を、実際の歯科用コンポジットレジンを用いて手軽にかつ速やかに成型することができる歯科用色見本の成型器具及びそれを用いた成型方法を提供することを課題とする。
【課題を解決するための手段】
【００１２】
上記課題は、「特許請求の範囲」の欄における各請求項に記載するように、次のような構成からなる発明によって解決される。
（１）  色調を比較して選択するための色調見本部と、この色調見本部を支持する把手部材とよりなる歯科用色見本を成型するための成型器具であって、成型皿と、この成型皿に開閉可能に被冠した透光性を有する蓋体とよりなり、前記成型皿の上面に色調見本部を成型するための、光硬化性を有するペースト状の歯科用コンポジットレジンが充填される色調見本成型部を凹設するとともに、この色調見本成型部に連設して把手部材を保持する把手保持溝を設け、かつ前記把手保持溝に把手部材を保持させて、前記色調見本成型部に歯科用コンポジットレジンを充填し、蓋体を成型皿に被冠した際に、前記充填した歯科用コンポジットレジンの上面のうち、色調見本成型部が成型皿上面に開口する当該開口部領域内の上面部分を、前記蓋体の内面をもって密接状態で押圧しうるようにする。
【００１３】
（２）  上記（１）項において、蓋体を成型皿に被冠した状態において、蓋体の内面のうち、成型皿における色調見本成型部が成型皿上面に開口する当該開口部領域内に位置する内面部分を、成型皿の上面と実質的に同一平面上に位置させるか、または成型皿の上面よりも色調見本成型部内に嵌入するように位置させる。
【００１４】
（３）  上記（１）項または（２）項のいずれかにおいて、蓋体を成型皿に被冠した状態において、蓋体の内面のうち、成型皿における色調見本成型部が成型皿上面に開口する当該開口部領域内に位置する内面部分以外の内面を、成型皿の上面と実質的に同一平面上に位置させる。
【００１５】
（４）  上記（１）〜（３）項のいずれかにおいて、色調見本成型部の底部型面を、天然歯の前面形状に類似の曲面、または傾斜平面に形成する。
【００１６】
（５）  上記（１）〜（４）項のいずれかにおいて、色調見本成型部の底部型面を、ＪＩＳ Ｂ０６０１で測定した算術平均高さ（Ra）で示される表面粗さが１０μｍ以下の滑らかな面とする。
【００１７】
（６）  上記（１）〜（５）項のいずれかにおいて、蓋体の内面のうち、成型皿における色調見本成型部が成型皿上面に開口する当該開口部領域内に位置する内面部分を、ＪＩＳ Ｂ０６０１で測定した算術平均高さ（Ra）で示される表面粗さが１０μｍ以下の滑らかな面に形成する。
【００１８】
（７）  上記請求項１〜６のいずれかに記載の成型器具を用いた歯科用色見本の成型方法であって、成型皿の色調見本成型部に、光硬化性を有するペースト状の歯科用コンポジットレジンを充填する工程と、把手保持溝に、予め成型された色見本の把手部材を保持させる工程と、蓋体の被冠状態において、色調見本成型部に充填された前記歯科用コンポジットレジンの上面のうちの、色調見本成型部が成型皿上面に開口する当該開口部領域内の上面部分を前記蓋体の内面をもって密接状態で押圧しながら外部から光を照射する工程とからなるものとする。
【００１９】
（８）  上記（７）項において、把手部材を、その一端部を色調見本成型部内に臨ませるようにして、把手保持溝に保持させる。
【００２０】
（９）  上記（７）項または（８）項のいずれかにおいて、把手部材を把手保持溝に保持させた際に、把手部材のうち、蓋体と対向する面を、成型皿の上面と実質的に同一面上に位置させるようにする。
【００２１】
（１０）  上記（７）〜（９）項のいずれかにおいて、把手保持溝に、位置決め穴を形成するとともに、把手部材を前記把手保持溝に保持させた際に、把手部材の前記位置決め穴に対向する面に位置決め突起を突設し、この位置決め突起を前記位置決め穴に係合させうるようにする。
【００２２】
（１１）  上記（７）〜（１０）項のいずれかにおいて、把手部材を把手保持溝に保持させた際に、把手部材の前記把手保持溝に対向する面側に、色調見本成型部内に臨ませるようにした、把手部材の一端部と、この一端部と反対側の他端部との間の中間位置に指当て部を形成するとともに、この指当て部の前記一端部側に面する端面を成型皿の前面に当接して、この当接した前面と、把手保持溝の位置決め穴に係合した位置決め突起との両者をもって、成型皿の前端部を挟持しうるようにする。
【発明の効果】
【００２３】
本発明によると、次のような効果が奏せられる。
請求項１に記載の発明によれば、色見本の把手部材を、成型皿の上面に形成した把手保持溝内に保持しうるようにしてあるので、この把手部材の保持状態で、前記色調見本成型部に歯科用コンポジットレジンを充填して硬化させることで、歯科用コンポジットレジンの硬化体により色調見本部が形成された色見本を、歯科医自身が、手軽にかつ速やかに成型することができる。したがって、診察現場で使用する、多種の色調を有する複数の歯科用コンポジットレジンのそれぞれについて上記色見本を製造すれば、対応する歯科用コンポジットレジンの硬化体の色調と一致した色調の色見本が各配置された色ガイドを用意できる。この色ガイドを用いて、患者の天然歯の色調と調和する歯科用コンポジットレジンの色調を選択することにより、患者の天然歯と歯科用コンポジットレジンの色調との間の色調誤差を極めて小さくすることができる。
また、色調見本成型部に歯科用コンポジットレジンを充填し、蓋体を成型皿に被冠した際に、充填した歯科用コンポジットレジンの上面のうち、色調見本成型部が成型皿上面に開口する当該開口部領域内の上面部分を、蓋体の内面をもって密接状態で押圧しうるようにしてあるので、歯科用コンポジットレジンにおける蓋体の内面と密接部分が外気と触れることがない。これにより、色見本における色調見本部の表面に表面未重合層が形成されないため、成型後、従前のような未重合層の研摩等の後加工を施すことなく、滑らかな光沢のある表面を得るとことができる。
【００２４】
請求項２及び３に記載の発明によれば、蓋体を成型皿に被冠した状態において、色調見本成型部に充填した歯科用コンポジットレジンの上面部分に、蓋体の内面をより効果的に密接させることができる。
【００２５】
請求項４〜６に記載の発明によれば、色見本における色調見本部の前面を、天然歯の前面形状に類似する滑らかな曲面または滑らかな傾斜平面に形成することができる。
また、蓋体の内面を滑らかな平面に形成してあるので、色見本における色調見本部の後面を、光沢を有する平面に形成することができる。
【００２６】
請求項７に記載の発明によれば、前記請求項１に記載の発明と同様な効果を奏することができる。
【００２７】
請求項８に記載の発明によれば、把手部材を、その一端部を色調見本成型部に臨ませるようにして、把手保持溝に保持させてあるので、色見本における把手部材の上端部に色調見本部を確実に支持させることができる。
【００２８】
請求項９記載の発明によれば、把手部材を把手保持溝に保持させた際に、把手部材のうち、蓋体と対向する面を、成型皿の上面と同一面上に位置させるようにしてあるので、色見本における色調見本部及び把手部材の後面を同一面上に位置させることができる。
【００２９】
請求項１０記載の発明によれば、把手保持溝に、位置決め穴を形成するとともに、把手部材を前記把手保持溝に保持させた際に、把手部材の前記位置決め穴に対向する面に位置決め突起を突設し、この位置決め突起を前記位置決め穴に係合させうるようにしてあるため、成型皿の把手保持溝に把手部材を確実に位置決めすることができる。
【００３０】
請求項１１記載の発明によれば、把手部材を把手保持溝に保持させた際に、把手部材の前記把手保持溝に対向する面に、色調見本成型部に臨ませるようにした、把手部材の一端部と、この一端部と反対側の他端部との間の中間位置に指当て部を形成するとともに、この指当て部の前記一端部側に面する端面を成型皿の前面に当接して、この当接した前面と、把手保持溝の位置決め穴に係合した位置決め突起との両者をもって、成型皿の前端部を挟持しうるようにしてあるので、成型皿に把手部材をより確実に位置決めすることができる。
発明の具体的な内容は、次の通りである。
【図面の簡単な説明】
【００３１】
【図１】本発明における一実施形態の成型器具を用いて成型された歯科用色見本の斜視図である。（実施例）
【図２】本発明における成型器具の開蓋状態を示す斜視図である。
【図３】図２のIII−III線における成型器具への歯科用色見本の把手部材の配置状態を分解して示す縦断側面図である。
【図４】同じく、歯科用色見本の把手部材の配置及び歯科用コンポジットレジンの充填後における成型時の成型器具の施蓋状態を示す縦断側面図である。
【図５】従来の歯科用色見本を示す斜視図である。
【図６】同じく従来の歯科用色見本を用いた色ガイドの使用状態を説明する概略図である。
【図７】同じく従来の歯科用色見本の色ガイドを構成する保持基盤への収容状態を示す要部分解斜視図である。
【発明を実施するための形態】
【００３２】
以下、本発明の実施の形態を図１から図４に示す図面に基いて詳細に説明する。
図１は、本発明における一実施形態の成型器具を用いて成型された歯科用色見本の斜視図である。
【実施例】
【００３３】
図１に示すように、歯科用色見本（以下、色見本と略記する）１は、色調を比較して選択するための色調見本部２と、この色調見本部２の下部を支持するように連設された把手部材３とをもって上下方向に縦長の棒状をなすように形成されている。
この色調見本部２は、個々の患者における修復を必要とする天然歯またはこれに隣接する天然歯と同一の色調からなる前後両面２ａ，２ｂを有するとともに、その前面２ａは、前記天然歯の前面形状に似せた滑らかな曲面、または滑らかな傾斜平面に形成され、かつその後面２ｂは滑らかな平面に形成されている。
【００３４】
色調見本部２の下方を支持する把手部材３は、予め成形型（図示せず）を用いて、通常の工業プラスチック材料により別体に作製されている。
把手部材３における上半部３ａの上端部４は、幅狭に突出させているとともに、その先端前面４ａを、凹面状をなすように肉薄に形成することにより、後記する本発明の成型器具９を用いて、前記色調見本部２を成型する際に、前記先端前面４ａに色調見本部２の下部が、成型と同時に一体的に支持されるようになっている。
この把手部材３の両側面には、上下方向に沿って係合溝５がそれぞれ形成されているとともに、この係合溝５における互いに対向する前後両内面の一方の内面５ａには、突起６が設けられている。
【００３５】
色見本１は、前記した図６及び図７に示す従来の色ガイド０４と同様に、保持基盤０５に円周方向に等間隔をもって径方向に放射状に形成した複数のガイド孔０６に収容可能になっており、色見本１の係合溝５を各ガイド孔０６の両内側端縁０６ａに係合した際、前記突起６をガイド孔０６の両内側端縁０６ａに圧接させて、色見本１の径方向の摺動抵抗を増大させることにより、色見本１が保持基盤０５内に収容状態に、または前記色調見本部２が保持基盤０５の外周端縁側に突出した状態に保持されるようになっている。
【００３６】
色見本１における把手部材３の前面には、図１に示すように、その下端部と上端部４との間の中間位置に、前方に向けほぼ円弧状に湾曲させて反り上がらせた指当て部７が形成されているとともに、この指当て部７の上端面７ａの上方には、これと離間して対向する位置に、位置決め突起８が突設されている。
前記指当て部７は、色見本１の色調見本部２を、図６に示す色ガイド０４における保持基盤０５のガイド孔０６から外方に向けて引出す際に、親指等を宛がうことにより、容易に押出すことができるようになっている。
【００３７】
図２は、本発明における成型器具の開蓋状態を示す斜視図、図３は、図２のIII−III線における成型器具への歯科用色見本の把手部材の配置状態を分解して示す縦断側面図、図４は、同じく、歯科用色見本の把手部材の配置及び歯科用コンポジットレジンの充填後における成型時の成型器具の施蓋状態を示す縦断側面図である。
【００３８】
図２に示すように、前記色見本１の成型に用いられる成型器具９は、平面視において左右方向に横長の矩形状をなす成型皿１０と、この成型皿１０における上面１０ａの前後方向のほぼ中央部に前記色見本１における色調見本部２の前面２ａを成型する底部型面１１ａがそれぞれ異なる大きさの二様の対をなす左右方向に複数並列させて凹設され、かつ後記する光硬化性を有するペースト状の歯科用コンポジットレジンＰが充填される色調見本成型部１１と、この各々の色調見本成型部１１に連設しうるようにそれぞれ連通し、かつ予め成型された色見本１における把手部材３の上半部３ａが位置決め保持される把手保持溝１２と、前記成型皿１０の上面１０ａを開閉可能に被冠する、透光性を有する蓋体１３とを備える。
【００３９】
成型皿１０の上面１０ａと、この上面１０ａと対向する前記蓋体１３の内面１３ａとは、蓋体１３を成型皿１０に被冠した状態において、実質的に成型皿１０の上面１０ａと同一平面上に位置しうるようにするとともに、滑らかな面に形成されている。
この場合、蓋体１３の内面１３ａのうち、成型皿１０における色調見本成型部１１が成型皿１０の上面１０ａに開口する当該開口部領域内に位置する内面部分のみを、成型皿１０の上面１０ａと実質的に同一平面上に位置させるようにしてもよい。
また、蓋体１３の内面１３ａのうち、成型皿１０における色調見本成型部１１が成型皿１０の上面１０ａに開口する当該開口部領域内に位置する内面部分を部分的に突出させて、蓋体１３を成型皿１０に被冠した状態において、成型皿１０の上面１０ａよりも色調見本成型部１１内に嵌入するように位置させ、その内面部分以外の内面１３ａを、成型皿１０の上面１０ａと実質的に同一平面上に位置させるようにしてもよい。
なお、本発明において滑らかな面とは、ＪＩＳ Ｂ０６０１で測定した算術平均高さ（Ra）で示される表面粗さが、１０μｍ以下、より好ましくは１μｍ以下であることを言う。
【００４０】
前記色調見本成型部１１の底部型面１１ａは、患者の天然歯の前面形状に類似する歯形をもって滑らかな曲面、または成型皿１０の後方から前方に向けて下降傾斜する滑らかな傾斜平面、すなわち成型後の色調見本部２の前面２ａが、図１に示すように、前方上向きに傾斜する傾斜平面となるように形成されることが好ましい。
色調見本成型部１１の底部型面１１ａ及び蓋体１３の内面１３ａは、それらの面を平滑にするとともに、硬化後の歯科用コンポジットレジンの型離れを円滑にするために、ＵＶコーティング処理をそれぞれ施すことが好ましい。
【００４１】
成型器具９は、後記するように、成型皿１０の把手保持溝１２に色見本１の把手部材３を保持させるとともに、色調見本成型部１１の底部型面１１ａにペースト状の歯科用コンポジットレジンＰを充填した際に、成形皿１０の色調見本成型部１１内から上方に露出する歯科用コンポジットレジンＰの上面のうちの、色調見本成型部１１の開口部領域内の上面部分、すなわち平面視において、成形皿１０の上面１０ａに開口する当該開口部領域内の上面部分を、蓋体１３の被冠状態において、蓋体１３の内面１３ａをもって密接状態で押圧しうるようになっている。
【００４２】
前記把手部材３は、成型皿１０の上面１０ａに形成した把手保持溝１２に保持させる際に、図２に想像線で示すように、把手部材３の前面が把手保持溝１２に対向しうるように裏返し状態でもって、その上半部３ａが把手保持溝１２に組み付けられるとともに、その下半部３ｂは外部に突出させたままの状態にしてある。
把手保持溝１２には、前記把手部材３の上端部４が嵌合される位置決め溝１２ａが前記色調見本成型部１１の底部型面１１ａとの境界部分に連設されているとともに、前記把手部材３の上半部３ａを把手保持溝１２に保持させた際に、前記上半部３ａの面に突設した位置決め突起８が係合しうる位置決め穴１４が形成されている。
【００４３】
前記成型皿１０における上面１０ａの外周角縁部には、前記蓋体１３の施蓋時の被冠状態において、その下端外周縁部１３ｂが係止される係止段部１５が切設され、この係止段部１５における前面側の左右方向の中央部には、下部係止突起１６が突設されている。
この下部係止突起１６には、前記蓋体１３における前面側下端外周縁部１３ｂの内側左右方向の中央部に突設した上部係止突起１７が、前記蓋体１３の施蓋時の被冠状態において係着されるようになっている。
【００４４】
前記蓋体１３の前面側下端外周縁部１３ｂには、前記把手部材３が裏返し状態で嵌め込まれる把手保持溝１２の形成部位に対応する位置に切欠部１８がそれぞれ形成されている。
この切欠部１８は、前記成型皿１０の把手保持溝１２に嵌め込まれた把手部材３が、蓋体１３を施蓋する際の邪魔にならないようにしている。
【００４５】
次に、前記成型器具９を用いて色見本１を成型する手順を、図３及び図４に基づいて説明する。
【００４６】
まず、歯科医自身が、診察現場で、所望の色調を有する光硬化性を有するペースト状の歯科用コンポジットレジンが収容された容器を色調毎に複数用意する。
【００４７】
次いで、図３に示すように、成型皿１０の把手保持溝１２に、予め成型された色見本の把手部材３を裏返し状態をもって組み付けるとともに、把手保持溝１２に形成された位置決め穴１４に、把手部材３の前面に突設した位置決め突起８を係合させ、かつ把手部材３の前面に形成した指当て部７の上端面７ａを、成型皿１０の前面に当接して、前記位置決め突起８と指当て部７とをもって、前記成型皿１０の前端部を挟持することにより、前記把手部材３を位置決め保持させる。
この場合、前記把手保持溝１２に保持される把手部材３の上半部３ａにおける幅狭に突出させた上端部４の、凹面状に形成した先端前面４ａが色調見本成型部１１内に臨むように位置させるとともに、蓋体１３の内面１３ａと対向する前記上半部３ａの対向面を、成型皿１０の上面１０ａと同一面上に位置するように配置することが好ましい。
また、把手部材３の上半部３ａにおける蓋体１３の内面１３ａと対向する前記上端部４の対向面を、成型皿１０の上面１０ａよりも下方に位置するように段付き形成し、この段付き面に、成型時に、歯科用コンポジットレジンＰが色調見本成型部１１から前記上端部４の対向面に形成した段付き部分に回り込むようにしてもよい。
【００４８】
次いで、成型皿１０の色調見本成型部１１に、前記歯科用コンポジットレジンが収容された容器から歯科用コンポジットレジンＰを充填した後、図４に示すように、蓋体１３によって成型皿１０の上面１０ａを被冠する。
このとき、前記蓋体１３の上部係止突起１７が、成型皿１０の下部係止突起１６に弾圧的に係着され、これにより、成型皿１０の上面１０ａと、これに対向する蓋体１３の内面１３ａとが密接すると同時に、この蓋体１３の内面１３ａをもって、色調見本成型部１１内から上方に露出する歯科用コンポジットレジンＰの上面のうちの、色調見本成型部１１の開口部領域内の上面部分を密接状態で押圧しうるようになっている。
【００４９】
次いで、蓋体１３の施蓋時の被冠状態において、歯科用コンポジットレジンＰが充填された色調見本成型部１１に向けて、光Ｌを成型皿１０の外部から透光性を有する蓋体１３を通して照射し、前記歯科用コンポジットレジンＰを硬化処理したのち離型する。
これにより、図１に示すように、色調見本部２と把手部材３とが一体化された色見本１が成型される。
そして、この操作を前記用意した複数の歯科用コンポジットレジンのそれぞれについて実施し、得られた各色見本１を、色ガイドに色調の昇順に整列させて、前記色ガイド０４を構成する円盤状の保持基盤０５に収容する。
【００５０】
なお、成型後の色見本１は、新たな歯科用コンポジットレジンの購入による製造ロット毎に成型して、前記色ガイド０４を構成する円盤状の保持基盤０５に収容することが望ましい。
【符号の説明】
【００５１】
１    歯科用色見本
２    色調見本部
２ａ  前面
２ｂ  後面
３    把手部材
３ａ  上半部
３ｂ  下半部
４    上端部（一端部）
４ａ  先端前面
５    係合溝
５ａ  内面
６    突起
７    指当て部
７ａ  上端面
８    位置決め突起
９    成型器具
１０  成型皿
１０ａ  上面
１１  色調見本成型部
１１ａ  底部型面
１２  把手保持溝
１２ａ  位置決め溝
１３  蓋体
１３ａ  内面
１３ｂ  下端外周縁部
１４  位置決め穴
１５  係止段部
１６  下部係止突起
１７  上部係止突起
１８  切欠部
０１  色見本
０２  色調見本部
０２ａ  突起
０３  把手部材
０３ａ  係合溝
０３ｂ  指当て面
０４  色ガイド
０５  保持基盤
０６  長孔
０６ａ  内側端縁
０７  凹部
Ｐ    歯科用コンポジットレジン
Ｌ    光
【図１】
0005501165.tif 000002
【図２】
0005501165.tif 000003
【図３】
0005501165.tif 000004
【図４】
0005501165.tif 000005
【図５】
0005501165.tif 000006
【図６】
0005501165.tif 000007
【図７】
0005501165.tif 000008